(57)【要約】本発明は、無線移動通信システムでセルの無線リソースを最小限に利用してＭＢＭＳの品質を保障する方法に関する。無線通信システムでＭＢＭＳを提供する方法は、ＭＢＭＳサービスに加入している少なくとも１つの端末にフィードバック設定パラメータを送信する段階と、少なくとも１つの端末にＭＢＭＳサービスデータを送信する段階と、フィードバック情報の送信のためにフィードバック設定パラメータを使用する少なくとも１つの端末からフィードバック情報を受信する段階とを含む。
2009542084.tif 000002
【特許請求の範囲】
【請求項１】
基地局からフィードバック設定パラメータを受信する段階と、
１対多サービスデータを受信する段階と、
前記受信したフィードバック設定パラメータを使用してフィードバック情報を送信する段階と
を含むことを特徴とする無線通信システムで１対多サービスを提供する方法。
【請求項２】
前記フィードバック設定パラメータが、１対多サービス毎に割り当てられることを特徴とする請求項１に記載の無線通信システムで１対多サービスを提供する方法。
【請求項３】
前記フィードバック設定パラメータが、前記フィードバック情報の送信のための無線リソースに関するものであることを特徴とする請求項１に記載の無線通信システムで１対多サービスを提供する方法。
【請求項４】
前記フィードバック情報が、ＡＣＫ／ＮＡＣＫ信号であることを特徴とする請求項３に記載の無線通信システムで１対多サービスを提供する方法。
【請求項５】
前記フィードバック情報が、ＲＡＣＨプリアンブルであることを特徴とする請求項３に記載の無線通信システムで１対多サービスを提供する方法。
【請求項６】
前記フィードバック情報が、特定チャネル品質インジケータ（ＣＱＩ）コード値であることを特徴とする請求項３に記載の無線通信システムで１対多サービスを提供する方法。
【請求項７】
前記フィードバック情報が、特定条件を満たす場合にのみネットワークに送信されることを特徴とする請求項１に記載の無線通信システムで１対多サービスを提供する方法。
【請求項８】
前記１対多サービスデータの受信に成功した場合、前記ＡＣＫ信号がネットワークに送信され、かつ前記１対多サービスデータの受信に成功していない場合、前記ＮＡＣＫ信号が前記ネットワークに送信されることを特徴とする請求項４に記載の無線通信システムで１対多サービスを提供する方法。
【請求項９】
前記１対多サービスデータの受信に成功した場合、前記ＡＣＫ信号のみネットワークに送信され、かつ前記１対多サービスデータの受信に成功していない場合、前記ＮＡＣＫ信号は送信されないことを特徴とする請求項４に記載の無線通信システムで１対多サービスを提供する方法。
【請求項１０】
前記１対多サービスデータの受信に成功していない場合、前記ＮＡＣＫ信号のみネットワークに送信され、かつ前記１対多サービスデータの受信に成功した場合、前記ＡＣＫ信号は前記ネットワークに送信されないことを特徴とする請求項４に記載の無線通信システムで１対多サービスを提供する方法。
【請求項１１】
前記特定条件が、前記１対多サービスに加入している各端末により予め設定されることを特徴とする請求項７に記載の無線通信システムで１対多サービスを提供する方法。
【請求項１２】
前記フィードバック情報が、前記各受信段階で受信に成功したか否かに基づいてネットワークに送信されることを特徴とする請求項１に記載の無線通信システムで１対多サービスを提供する方法。
【請求項１３】
１対多サービスに加入している少なくとも１つの端末にフィードバック設定パラメータを送信する段階と、
前記少なくとも１つの端末に１対多サービスデータを送信する段階と、
フィードバック情報の送信のために前記フィードバック設定パラメータを使用する前記少なくとも１つの端末から前記フィードバック情報を受信する段階と
を含むことを特徴とする無線通信システムで１対多サービスを提供する方法。
【請求項１４】
前記受信したフィードバック情報に応じて無線設定パラメータを調整する段階をさらに含むことを特徴とする請求項１３に記載の無線通信システムで１対多サービスを提供する方法。
【請求項１５】
前記調整された無線設定パラメータを使用して前記少なくとも１つの端末に前記１対多サービスデータを送信する段階をさらに含むことを特徴とする請求項１４に記載の無線通信システムで１対多サービスを提供する方法。
【請求項１６】
前記無線設定パラメータが、前記１対多サービスのために割り当てられるコード、電力、周波数、又は時間の少なくとも１つを含むことを特徴とする請求項１４に記載の無線通信システムで１対多サービスを提供する方法。
【請求項１７】
前記フィードバック設定パラメータが、１対多サービス毎に割り当てられることを特徴とする請求項１３に記載の無線通信システムで１対多サービスを提供する方法。
【請求項１８】
前記フィードバック設定パラメータが、前記フィードバック情報の送信のための無線リソースに関するものであることを特徴とする請求項１３に記載の無線通信システムで１対多サービスを提供する方法。
【請求項１９】
前記フィードバック情報が、ＡＣＫ／ＮＡＣＫ信号であることを特徴とする請求項１８に記載の無線通信システムで１対多サービスを提供する方法。
【請求項２０】
前記フィードバック情報が、ＲＡＣＨプリアンブルであることを特徴とする請求項１８に記載の無線通信システムで１対多サービスを提供する方法。
【請求項２１】
前記フィードバック情報が、特定チャネル品質インジケータ（ＣＱＩ）コード値であることを特徴とする請求項１８に記載の無線通信システムで１対多サービスを提供する方法。
【請求項２２】
前記少なくとも１つの端末が前記１対多サービスデータの受信に成功した場合、前記ＡＣＫ信号が前記少なくとも１つの端末から受信され、かつ前記少なくとも１つの端末が前記１対多サービスデータの受信に成功していない場合、前記ＮＡＣＫ信号が前記少なくとも１つの端末から受信されることを特徴とする請求項１９に記載の無線通信システムで１対多サービスを提供する方法。
【請求項２３】
前記少なくとも１つの端末が前記１対多サービスデータの受信に成功した場合、前記ＡＣＫ信号のみ前記少なくとも１つの端末から受信され、かつ前記少なくとも１つの端末が前記１対多サービスデータの受信に成功していない場合、前記ＮＡＣＫ信号は受信されないことを特徴とする請求項１９に記載の無線通信システムで１対多サービスを提供する方法。
【請求項２４】
前記少なくとも１つの端末が前記１対多サービスデータの受信に成功していない場合、前記ＮＡＣＫ信号のみ前記少なくとも１つの端末から受信され、かつ前記少なくとも１つの端末が前記１対多サービスデータの受信に成功した場合、前記ＡＣＫ信号は受信されないことを特徴とする請求項１９に記載の無線通信システムで１対多サービスを提供する方法。
【請求項２５】
１対多サービスに関するデータを送受信する送受信部と、
前記送受信部により又は外部ソースから送受信したデータを保存するメモリと、
前記送受信部及び前記メモリと連動し、基地局からフィードバック設定パラメータを受信する段階、１対多サービスデータを受信する段階、及び前記受信したフィードバック設定パラメータを使用してフィードバック情報を送信する段階を行うプロセッサと
を含むことを特徴とする無線通信システムで１対多サービスを提供する移動端末。
【発明の詳細な説明】
【技術分野】
【０００１】
本発明は、Ｅ−ＵＭＴＳ（Evolved  Universal  Mobile  Telecommunications  System）におけるマルチメディアブロードキャストマルチキャストサービス（ＭＢＭＳ）に関し、特に移動通信システムにおけるＭＢＭＳの品質保障方法、及びその端末に関する。
【発明の開示】
【課題を解決するための手段】
【０００２】
図１は、従来技術及び本発明を適用できる移動通信システムであるＥ−ＵＭＴＳのネットワーク構造を示す図である。
【０００３】
Ｅ−ＵＭＴＳシステムは、ＵＭＴＳシステムから進化したものであり、これに適用できる基礎標準の準備が３ＧＰＰにより行われている。Ｅ−ＵＭＴＳシステムはＬＴＥ（Long  Term  Evolution）システムとも呼ばれる。
【０００４】
図１を参照すると、Ｅ−ＵＭＴＳネットワークは、Ｅ−ＵＴＲＡＮとＥＰＣ（Evolved  Packet  Core）とを含む。前記Ｅ−ＵＴＲＡＮと前記ＥＰＣとの間ではインタフェースを利用することができる。ｅＮｏｄｅ  Ｂと前記ＥＰＣとの間ではＳ１インタフェースを利用することができる。前記ｅＮｏｄｅ  Ｂ同士はＸ２インタフェースを介して接続され、前記Ｘ２インタフェースはメッシュネットワーク構造で隣接するｅＮｏｄｅ  Ｂ間に存在する。
【０００５】
図２及び図３は、Ｅ−ＵＭＴＳにおける無線アクセスインタフェースプロトコルの構造を示す図である。
【０００６】
前記無線アクセスインタフェースプロトコルは、物理層、データリンク層、及びネットワーク層を含む水平層と、データ情報を送信するためのユーザプレーン、及び制御信号を送信するための制御プレーンを含む垂直プレーンとからなる。
【０００７】
前記プロトコル層は、通信システム技術でよく知られているＯＳＩ（Open  System  Interconnection）参照モデルの下位３層に基づいて、第１層（Ｌ１）、第２層（Ｌ２）、及び第３層（Ｌ３）に区分することができる。
【０００８】
前記第１層である物理層は、物理チャネルを利用して上位層に情報送信サービスを提供する。前記物理層は、トランスポートチャネルを介して、上位に位置する媒体アクセス制御（Medium  Access  Control；MAC）層に接続され、前記トランスポートチャネルを介して前記ＭＡＣ層と前記物理層間のデータ送信が行われる。異なる物理層間、すなわち送信側物理層と受信側物理層間では、物理チャネルを介してデータ送信が行われる。
【０００９】
前記第２層のＭＡＣ層は、論理チャネルを介して、上位層である無線リンク制御（Radio  Link  Control；RLC）層にサービスを提供する。前記第２層のＲＬＣ層は、信頼性のあるデータ送信をサポートする。前記ＲＬＣ層の機能は、前記ＭＡＣ層内部の機能ブロックとして実現することができ、この場合、前記ＲＬＣ層は存在しないこともある。前記第２層のＰＤＣＰ（Packet  Data  Convergence  Protocol）層は、ＩＰｖ４やＩＰｖ６などのＩＰパケットを利用して送信するデータを、相対的に帯域幅の狭い無線インタフェースを介して効率的に送信するために、不要な制御情報を減らすヘッダ圧縮機能を実行する。
【００１０】
前記第３層（Ｌ３）の最下位に位置する無線リソース制御（Radio  Resource  Control；RRC）層は、制御プレーンでのみ定義され、無線ベアラ（Radio  Bearer；RB）の設定、再設定、及び解除に関連して論理チャネル、トランスポートチャネル、及び物理チャネルを制御する。ここで、前記ＲＢとは、端末とＥ−ＵＴＲＡＮ間のデータ送信のために前記第２層（Ｌ２）により提供されるサービスを意味する。前記ＲＲＣ層の最上位に位置するＮＡＳ（Non-Access  Stratum）層は、ＳＡＥ（System  Architecture  Evolution）ベアラ管理、認証、アイドルモード移動性処理、ＬＴＥ＿ＩＤＬＥでのページング開始（paging  origination）、又はＧＷとＵＥ間のシグナリングのためのセキュリティ制御などの機能を実行する。
【００１１】
ネットワークから端末にデータを送信するダウンリンクトランスポートチャネルは、システム情報を送信するＢＣＨ（Broadcast  Channel）、及びユーザトラフィック又は制御メッセージを送信するダウンリンクＳＣＨ（Shared  Channel）を含む。ダウンリンクマルチキャスト、ブロードキャストサービスのトラフィック、又は制御メッセージは、前記ダウンリンクＳＣＨ又は別途のダウンリンクＭＣＨ（Multicast  Channel）を介して送信することができる。
【００１２】
端末からネットワークにデータを送信するアップリンクトランスポートチャネルは、初期制御メッセージを送信するＲＡＣＨ（Random  Access  Channel）、並びにユーザトラフィック及び制御メッセージを送信するアップリンクＳＣＨを含む。
【００１３】
トランスポートチャネルの上位に位置し、前記トランスポートチャネルにマッピングされる論理チャネルは、ＢＣＣＨ（Broadcast  Control  Channel）、ＰＣＣＨ（Paging  Control  Channel）、ＣＣＣＨ（Common  Control  Channel）、ＭＣＣＨ（Multicast  Control  Channel）、及びＭＴＣＨ（Multicast  Traffic  Channel）を含む。
【００１４】
図４は、物理チャネルの構造の一例を示す図である。物理チャネルは、ＵＥの第１層（Ｌ１）とｅＮＢの第１層（Ｌ１）との間でシグナリング及びデータを送信する。図３に示すように、前記物理チャネルは、シグナリング及びデータを送信し、周波数軸における複数のサブキャリア及び時間軸における複数のシンボルから構成される（すなわち、６つ又は７つのシンボルが０．５ｍｓの長さを有する１つのサブフレームを構成する）。１つのサブフレームは複数のリソースブロックから構成され、１つのリソースブロックは複数のシンボルと複数のサブキャリアとから構成される。１つのサブフレームは０．５ｍｓであり、データ送信の単位時間であるＴＴＩ（Transmission  Time  Interval）は２つのサブフレームに該当する１ｍｓである。サブフレームの特定シンボル（例えば、サブフレームの第１シンボル）は、Ｌ１／Ｌ２制御チャネルのために使用することができる。Ｌ１／Ｌ２制御チャネルはＬ１／Ｌ２制御情報（シグナリング）を運ぶ。
【００１５】
以下、ＷＣＤＭＡにおけるＲＡＣＨをより詳細に説明する。
【００１６】
ＲＡＣＨはアップリンクに短いデータを送信するために使用され、一部のＲＲＣメッセージ（すなわち、ＲＲＣ接続要求メッセージ、セル更新メッセージ、ＵＲＡ更新メッセージ）もＲＡＣＨで送信される。ＲＡＣＨはＣＣＣＨ、ＤＣＣＨ（Dedicated  Control  Channel）、及びＤＴＣＨ（Dedicated  Traffic  Channel）にマッピングされ、さらに、ＲＡＣＨはＰＲＡＣＨ（Physical  Random  Access  Channel）にマッピングされる。
【００１７】
図５は、従来の物理チャネルＰＲＡＣＨの送信方法を示す図である。アップリンク物理チャネルであるＰＲＡＣＨは、プリアンブル部分とメッセージ部分とに分けられる。前記プリアンブル部分は、メッセージ送信のための送信電力を適切に調節するパワーランピング機能、及び複数の端末間の衝突（collision）を防止する機能を果たす。前記メッセージ部分は、ＭＡＣから物理チャネルに送信されたＭＡＣ  ＰＤＵを送信する機能を果たす。
【００１８】
前記端末のＭＡＣが前記端末の物理層にＰＲＡＣＨ送信を指示すると、前記端末の物理層は、まず１つのアクセススロットと１つの（プリアンブル）シグネチャを選択し、前記プリアンブルをＰＲＡＣＨでアップリンクに送信する。ここで、前記プリアンブルは、特定の長さのアクセススロット区間（例えば、１．３３ｍｓ）で送信される。前記アクセススロットの最初の所定長さ内で１６のシグネチャのいずれか１つのシグネチャが選択されて送信される。
【００１９】
前記端末から前記プリアンブルが送信されると、基地局は、ダウンリンク物理チャネルであるＡＩＣＨ（Acquisition  Indicator  Channel）で応答信号を送信する。前記プリアンブルに対する応答として、前記ＡＩＣＨは、前記アクセススロットの最初の所定長さ内で選択されたシグネチャを送信する。ここで、前記基地局は、前記ＡＩＣＨから送信されたシグネチャによって、ＡＣＫ応答又はＮＡＣＫ応答を前記端末に送信する。
【００２０】
ＡＣＫ応答を受信すると、前記端末は、前記送信されたシグネチャに対応するＯＶＳＦコードを使用して、１０ｍｓ又は２０ｍｓの長さのメッセージ部分を送信する。ＮＡＣＫ応答を受信すると、前記端末のＭＡＣは、所定時間後に前記端末の物理層に再びＰＲＡＣＨ送信を指示する。また、前記送信されたプリアンブルに対してＡＩＣＨを受信していない場合、前記端末は、予め決定されたアクセススロットの後に、以前のプリアンブルに使用された電力よりも高い電力で新しいプリアンブルを送信する。
【００２１】
以下、ＭＢＭＳ（又は、ＭＢＭＳサービス）について説明する。ＭＢＭＳとは、１対多無線ベアラと１対１無線ベアラの少なくとも一方を活用するダウンリンク専用ＭＢＭＳ無線ベアラを利用して複数のＵＥにストリーミング又はバックグラウンドサービスを提供する方法をいう。１つのＭＢＭＳサービスは１つ以上のセッションを含み、ＭＢＭＳデータは前記セッション中にのみ前記ＭＢＭＳ無線ベアラで前記複数の端末（すなわち、ＵＥ）に送信される。
【００２２】
ＭＢＭＳは、ブロードキャストモード又はマルチキャストモードで行うことができる。前記ブロードキャストモードは、ブロードキャストエリア、例えばブロードキャストサービスが可能な地域内の全てのＵＥにマルチメディアデータを送信するサービスである。前記マルチキャストモードは、マルチキャストエリア、例えばマルチキャストサービスが可能な地域内の特定ＵＥグループにマルチメディアデータを送信するサービスである。
【００２３】
ＵＴＲＡＮはＲＢを利用してＵＥにＭＢＭＳサービスを提供する。ＵＴＲＡＮにより利用されるＲＢは１対１ＲＢ又は１対多ＲＢに分類できる。前記１対１ＲＢは、双方向ＲＢであり、論理チャネルＤＴＣＨ、トランスポートチャネルＤＣＨ（Dedicated  Channel）、及び物理チャネルＤＰＣＨ（Dedicated  Physical  Channel）、又はＳＣＣＰＣＨ（Secondary  Common  Control  Physical  Channel）を含む。前記１対多ＲＢは、単方向ダウンリンクＲＢであり、論理チャネルＭＴＣＨ（MBMS  Traffic  Channel）、トランスポートチャネルＦＡＣＨ（Forward  Access  Channel）、及び物理チャネルＳＣＣＰＣＨを含む。前記論理チャネルＭＴＣＨは、１つのセルに提供される各ＭＢＭＳサービスのために構成され、特定ＭＢＭＳサービスのユーザプレーンデータを複数のＵＥに送信するのに利用される。
【００２４】
従来技術においては、ＭＢＭＳサービスではない場合、基地局が端末と専用無線ベアラを設定するとき、基地局は、端末から現在の受信状態（又は、条件）に関する情報を受信できるため、データブロックの送信に利用される無線リソースの量を制御することができる。しかし、ＭＢＭＳサービスの場合、基地局は、１つの端末ではなく、複数の端末とデータブロックの送受信を行うため、無線リソースの効率的な割り当てが困難である。例えば、ＭＢＭＳにおいては、基地局が特定端末のためのデータブロックを送信するために最上の無線リソースを設定するとしても、これは他の端末に対してはＭＢＭＳサービス品質の低下を引き起こすことがある。つまり、従来技術においては、ＭＢＭＳサービス品質を効果的に保障できないという不都合があった。
【００２５】
本発明は、前述した従来技術の問題を解決するためになされたものである。その結果、本発明は、セルの無線リソースを最小限に利用してＭＢＭＳの品質を保障する方法を提供する。
【００２６】
従って、本発明は、ＭＢＭＳサービスに加入している各端末にＭＢＭＳサービス（すなわち、１対多サービス）の品質を保障すると共にアップリンク無線リソースを効果的に利用する方法を提供し、本発明は、従来技術の限界及び欠点による１つ以上の問題を実質的に除去しようとする。
【００２７】
少なくとも前記特徴を全体的又は部分的に実現するために、本発明は、基地局が特定ＭＢＭＳサービスに関する受信状態の測定を少なくとも１つの端末に要求し、そのアップリンク無線リソースを割り当てる段階と、前記端末が前記割り当てられたアップリンク無線リソースで前記特定ＭＢＭＳサービスに関する受信状態情報を前記基地局に送信する段階と、前記基地局が受信した前記受信状態情報を利用して無線設定パラメータを設定又は調整する段階とを含む、無線通信システムでＭＢＭＳを提供する方法を提供する。
【００２８】
また、本発明は、基地局からフィードバック設定パラメータを受信する段階と、ＭＢＭＳサービスデータを受信する段階と、前記受信したフィードバック設定パラメータを使用してフィードバック情報を送信する段階とを含む、無線通信システムでＭＢＭＳを提供する方法を提供する。
【００２９】
さらに、本発明は、ＭＢＭＳサービスに加入している少なくとも１つの端末にフィードバック設定パラメータを送信する段階と、前記少なくとも１つの端末にＭＢＭＳサービスデータを送信する段階と、フィードバック情報の送信のために前記フィードバック設定パラメータを使用する前記少なくとも１つの端末から前記フィードバック情報を受信する段階とを含む、無線通信システムでＭＢＭＳを提供する方法を提供する。
【００３０】
さらに、本発明は、データを送受信する送受信部と、前記送受信部により又は外部ソースから送受信したデータを保存するメモリと、前記送受信部及び前記メモリと連動し、基地局からフィードバック設定パラメータを受信する段階、ＭＢＭＳサービスデータを受信する段階、及び前記受信したフィードバック設定パラメータを使用してフィードバック情報を送信する段階を行うプロセッサとを含む、無線通信システムでＭＢＭＳを提供する移動端末を提供する。
【００３１】
本発明のさらなる特徴は後述する発明の詳細な説明に一部は記述され、一部は当業者であれば以下の説明により明確になるか又は本発明の実施により理解されるであろう。本発明の目的と他の利点は、特に、発明の詳細な説明及び請求の範囲だけでなく、添付の図面に開示された構造により実現及び達成されることもある。
【発明を実施するための最良の形態】
【００３２】
本発明の一態様は、前述した従来技術の問題及び欠点に関する本発明者らの知見に基づくものであり、以下でより詳細に説明する。このような知見に基づいて本発明を完成するに至った。
【００３３】
本発明は、３ＧＰＰ仕様に準拠して開発されたＵＭＴＳなどの移動通信システムで実現されると説明されているが、様々な標準及び仕様に準拠して動作する他の通信システムにも適用できる。
【００３４】
ネットワーク技術が発達し続けるにつれて、向上した能力を有するＮｏｄｅ  Ｂ又は他のタイプのネットワークエンティティ（例えば、いわゆるアクセスゲートウェイ）が現存するＲＮＣにより行われる動作を処理できるようになり、未来のネットワークではＲＮＣがもはや必要なくなると予測されている。このようなＬＴＥイシューは、新しい端末を承認し（又は、新しいユーザリンクを設定し）、ネットワークにより管理されるより多くの端末のために向上したサービスを新たに開発、サポートするために用いられる、向上した無線アドミッション制御技術を開発する必要性をさらにサポートする。
【００３５】
ＭＢＭＳサービスは、単一無線リソースセッティング（single  radio  resource  setting）により複数の端末に同一のデータストリーミングを送信することで提供される。例えば、１つのテレビ放送サービスがあり、特定セル内にそのテレビ放送サービスの受信を希望する複数の端末が存在する場合、前記基地局は、それぞれの端末に異なる無線リソースを指定する代わりに、全ての端末に単一の無線リソースの指定又は割り当てを行うことにより無線リソースを節約することができる。
【００３６】
図６は、本発明による無線パケット通信システムのダウンリンク物理層に適用されるＨＡＲＱプロセスの一例を示す図である。
【００３７】
図６に示すように、基地局は、（パケットを受信する）端末とその端末に送信するパケットの形式（すなわち、符号化率、変調方式、データ量など）を決定する。そして、前記基地局は、その決定された情報をダウンリンク制御チャネル（ＨＳ−ＳＣＣＨ）で前記端末に通知し、該当時間周期に該当データパケット（ＨＳ−ＤＳＣＨ）を送信する。前記端末は、前記ＨＳ−ＳＣＣＨを受信することによってパケットの形式と送信時点を認知し、前記認知されたパケット形式と送信時点に応じて該当データパケット（ＨＳ−ＤＳＣＨ）を受信することができる。前記端末は、前記データパケットを受信した後、そのデータパケットの復号化に成功すると、前記基地局にＡＣＫ信号を送信する。前記端末から前記ＡＣＫ信号を受信した基地局は、該当端末へのデータパケットの送信に成功したと判断し、次のデータパケットの送信を行うことができる。もし、前記端末が前記データパケットの復号化に失敗した場合、前記端末は前記基地局にＮＡＣＫ信号を送信する。次に、前記端末から前記ＮＡＣＫ信号を受信した基地局は、前記端末へのデータパケットの送信に失敗したと判断し、適切な時点で同一のパケットデータを同一のパケット形式又は新しいパケット形式で再送信することができる。ここで、前記端末は、前記再送信されたパケットデータを、以前に受信したが復号化には失敗したパケットデータと様々な方式で結合することで再び復号化を試みる。前記ＡＣＫ／ＮＡＣＫ信号の送信に使用されるチャネルをＡＣＫ／ＮＡＣＫチャネルという。
【００３８】
本発明の一態様は、ＭＢＭＳサービスの品質を保障する方法を提供するものである。すなわち、特定ＭＢＭＳサービスが基地局から複数の端末に提供されるとき、それぞれの端末に提供されるＭＢＭＳサービスの品質は少なくとも所定の基準品質よりは良くなければならない。従って、本発明によれば、前記基地局は、少なくとも１つの端末に、特定ＭＢＭＳサービスに関する受信状態（又は、条件）の測定、及び前記測定された受信状態に関する情報（すなわち、フィードバック情報）の生成を要求することができる。また、前記基地局は、前記端末により前記測定された受信状態情報（すなわち、フィードバック情報）を送信するのに利用されるアップリンク無線リソースを割り当てることができる。前記基地局は、前記割り当てられたアップリンク無線リソースを利用して各端末から受信状態情報をそれぞれ受信することができ、前記各端末から受信した受信状態情報を利用して、（前記基地局が管理する）セルの無線設定パラメータ（すなわち、コード、電力、周波数、時間など）を設定又は制御することができる。
【００３９】
ここで、前記アップリンク無線リソース（すなわち、ＲＡＣＨリソース、ＡＣＫ／ＮＡＣＫチャネルリソース、ＣＱＩリソースなど）は、少なくとも１つの端末により前記受信状態情報を送信するのに利用することができる。前記アップリンク無線リソースは各端末により指定されないこともある。その代わりに、このような無線リソースは、特定ＭＢＭＳサービスを受信する少なくとも１つの端末のために共通に利用することができる。すなわち、前記アップリンク無線リソースは、それぞれの端末毎に割り当てるのではなく、ＭＢＭＳサービス毎に指定する（又は、割り当てる）ことができる。
【００４０】
特に、１つのセルでＭＢＭＳサービスを受信する複数の端末は、前記基地局に多量の受信状態情報を送信することによって、複雑性とアップリンク無線リソースの浪費を招く。本発明はこのような欠点を解決するために提供される。例えば、１つのセルで特定ＭＢＭＳサービスを受信する全ての端末が特定時間周期毎に受信状態情報を送信する場合、各端末は、それぞれの受信状態情報を送信するために、少なくとも１つの無線リソースブロックを必要とする。このように、端末の数が増加するにつれて、多量のアップリンク無線リソースが利用される。また、前記１つのセルで特定ＭＢＭＳサービスを受信する全ての端末が前記基地局に受信状態情報を送信した場合、アップリンク無線リソースアクセスの衝突（又は、競合）を引き起こし得る。さらに、これにより、一部の端末は前記基地局に受信状態情報を送信できなくなる可能性もある。
【００４１】
これを解決するために、本発明においては、ＭＢＭＳサービスに関する受信状態（条件）に関する情報の送信のために、前記基地局が前記端末に要求（指示）を送信できるようにする。ここで、前記要求メッセージは、ＭＢＭＳサービスに関する受信状態を測定し、前記測定された受信状態に基づいて受信状態情報を生成し、前記生成された受信状態情報を前記基地局に送信するように、前記端末に指示するメッセージである。前記基地局は、前記要求メッセージと共にアップリンク無線リソースに関する情報（又は、アップリンク無線リソース情報）を送信することができる。前記アップリンク無線リソース情報は、前記端末によりＭＢＭＳサービスに関する受信状態情報を送信するのに利用される無線リソースに関する情報を示す。
【００４２】
また、前記端末は、前記基地局からＭＢＭＳサービスに関する受信状態の測定の指示を受信すると、その指示に従ってＭＢＭＳサービスに関する受信状態を測定することができる。前記端末は、（予め設定された）特定条件が満たされると、前記測定された受信状態情報を前記基地局に送信することができる。ここで、受信状態情報の送信のために、前記基地局がアップリンク無線リソースを割り当てると、各端末は、前記割り当てられたアップリンク無線リソースを利用して、前記測定された受信状態情報を送信することができる。
【００４３】
また、本発明は、前記基地局が少なくとも１つの端末に特定ＭＢＭＳサービスデータを送信できるようにする。前記基地局は、前記ＭＢＭＳサービスデータに関する受信状態情報を各端末から受信した後、その受信状態情報に応じてデータブロックの再送信を行うことができる。
【００４４】
特定ＭＢＭＳサービスを受信する各端末が、前記ＭＢＭＳサービスのデータブロック（すなわち、ＭＢＭＳデータブロック）の送信／受信に対する応答を送ることができるように、前記基地局は、前記ＭＢＭＳサービスに対してＨＡＲＱ  ＡＣＫ／ＮＡＣＫチャネルを割り当て、その割り当てられたＨＡＲＱ  ＡＣＫ／ＮＡＣＫチャネルに関する情報を前記端末に送信する。すなわち、前記基地局は、前記ＭＢＭＳサービスを受信する端末が共通に使用するＨＡＲＱ  ＡＣＫ／ＮＡＣＫチャネルを割り当て、その割り当てられたＨＡＲＱ  ＡＣＫ／ＮＡＣＫチャネルで各端末からの応答を受信する。すなわち、前記ＨＡＲＱ  ＡＣＫ／ＮＡＣＫチャネルが端末毎ではなく、ＭＢＭＳサービス毎に割り当てられるため、前記基地局はアップリンク無線リソースを効果的に利用することができる。
【００４５】
すなわち、特定ＭＢＭＳサービスを受信した端末は、前記ＭＢＭＳサービスのデータを受信する過程で、前記ＭＢＭＳサービスデータの受信に成功又は失敗した場合、前記ＭＢＭＳサービスのために前記基地局が割り当てたＨＡＲＱ  ＡＣＫ／ＮＡＣＫチャネルを利用して、応答（ＡＣＫ又はＮＡＣＫ）を前記基地局に送信する。
【００４６】
一方、ほとんどの場合、各端末は前記基地局により送信されたＭＢＭＳサービスのデータブロックの受信に成功する。すなわち、各端末が前記基地局により送信されたデータブロックの受信に失敗することは珍しい。従って、このようなＭＢＭＳデータブロックの受信特性を考慮して、後述する方法により、アップリンク無線リソースの混雑（特に、ＨＡＲＱ  ＡＣＫ／ＮＡＣＫの混雑）を防止（又は、最小化）することができる。すなわち、前記端末が前記ＭＢＭＳサービスのデータブロックの受信に成功した場合は、アップリンクに応答（すなわち、ＡＣＫ）を送らず、前記端末が前記ＭＢＭＳサービスのデータブロックの受信に成功していない場合にのみ、アップリンクに応答（すなわち、ＮＡＣＫ）を送る。
【００４７】
また、前記基地局は、特定ＭＢＭＳサービスのデータブロックを送信した後、前記ＭＢＭＳサービスに割り当てられたＡＣＫ／ＮＡＣＫチャネルをモニタする。ここで、モニタされているＡＣＫ／ＮＡＣＫチャネルを介して前記端末から前記データブロックに対する応答としてＮＡＣＫを受信した場合、前記基地局は、前記データブロックを前記端末に再送信するか否かを決定することができる。さらに、前記基地局は、前記ＮＡＣＫを受信したか否かに基づいて、無線環境設定値を調整することができる。
【００４８】
ほとんどの場合、各端末は前記基地局により送信されたＭＢＭＳサービスのデータブロックの受信に成功する。すなわち、各端末が前記基地局により送信されたデータブロックの受信に失敗することは珍しい。従って、このようなＭＢＭＳデータブロックの受信特性を考慮して、後述する方法により、アップリンク無線リソースの混雑（特に、ＨＡＲＱ  ＡＣＫ／ＮＡＣＫの混雑）を防止（又は、最小化）することができる。すなわち、前記ＭＢＭＳサービスのデータブロックの受信に成功した場合は、アップリンクに応答（すなわち、ＡＣＫ）を送り、前記ＭＢＭＳサービスのデータブロックの受信に成功していない場合は、アップリンクに応答（すなわち、ＮＡＣＫ）を送らない。
【００４９】
また、前記基地局は、特定ＭＢＭＳサービスのデータブロックを送信した後、前記ＭＢＭＳサービスに割り当てられたＡＣＫ／ＮＡＣＫチャネルをモニタする。ここで、前記基地局は、モニタされているＡＣＫ／ＮＡＣＫチャネルを介して前記端末から（前記データブロックに対する応答として）ＡＣＫを受信していない場合、前記データブロックを前記端末に再送信するか否かを決定することができる。さらに、前記基地局は、前記ＮＡＣＫを受信したか否かに基づいて、無線環境設定値を調整することができる。
【００５０】
図７は、本発明の一実施形態における、基地局から送信されたＭＢＭＳデータブロックに対する各端末のＡＣＫ／ＮＡＣＫチャネルを介した応答を示す図である。図７において、基地局がＭＢＭＳデータを送信すると、ＭＢＭＳサービスを受信することのできる端末がそのＭＢＭＳデータを共有して受信する。但し、図７の実施形態においては、説明の便宜上、前記基地局からＭＢＭＳサービスを受信する端末が３つ（すなわち、ＵＥ１、ＵＥ２、ＵＥ３）であると仮定する。また、図６の実施形態において、前記基地局により送信されたＭＢＭＳデータブロック１に関しては、ＵＥ１及びＵＥ２は受信に成功し、ＵＥ３は受信に失敗したと仮定する。
【００５１】
図７を参照すると、前記基地局は、ＭＢＭＳデータブロック１（ＭＢＭＳ  Ｄａｔａ  Ｂｌｏｃｋ  １）をダウンリンクで端末（ＵＥ１〜ＵＥ３）に送信する（Ｓ１）。前記ステップＳ１において、ＵＥ１とＵＥ２はＭＢＭＳデータブロック１の受信に成功し、ＵＥ３は受信に失敗する。従って、ＵＥ３は、応答（すなわち、ＮＡＣＫ）を前記ＭＢＭＳサービスに割り当てられたＡＣＫ／ＮＡＣＫチャネルで前記基地局に送り、ＭＢＭＳデータブロック１の受信に成功していない（受信失敗）ことを通知する（Ｓ２）。それに対し、ＵＥ１とＵＥ２は、ＭＢＭＳデータブロック１の受信に成功したことを通知する応答（すなわち、ＡＣＫ）を前記基地局に送信しない。これは、無線リソースの効率を向上させるためである。
【００５２】
前記ステップＳ２により、前記基地局は、ＵＥ３からＮＡＣＫを受信し、ＵＥ３がＭＢＭＳデータブロック１を受信していないことが分かる。従って、前記基地局はＭＢＭＳデータブロック１を再送信する（Ｓ３）。
【００５３】
次に、前記基地局は、ＭＢＭＳデータブロック２及びＭＢＭＳデータブロック３を前記端末に順次送信する（Ｓ４及びＳ５）。前記ステップＳ４及びＳ５において、各端末（すなわち、ＵＥ１〜ＵＥ３）は、ＭＢＭＳデータブロック２及びＭＢＭＳデータブロック３の受信に成功したので、ＮＡＣＫもＡＣＫも送らない。従って、前記基地局は、ＮＡＣＫを受信していないので、前記端末にＭＢＭＳデータブロック２及びＭＢＭＳデータブロック３を再送信しない。
【００５４】
以下、本発明の他の実施形態を説明する。
【００５５】
本発明の一態様は、特定ＭＢＭＳサービスを端末に提供する基地局が、前記端末に所定レベル以上のＭＢＭＳサービス品質を保障する方法を提供するものである。
【００５６】
このために、基地局は、特定ＭＢＭＳサービスのデータを送信し、端末から前記データに関する受信状態情報を受信し、前記ＭＢＭＳサービスのデータの送信に用いられる無線環境設定値を調整することができる。
【００５７】
各端末に所定レベル以上のＭＢＭＳサービス品質を保障するために、前記基地局は、（各端末が構成（生成）した）受信状態情報を前記基地局に送信すべき特定状態（例えば、状況、条件など）を前記端末に通知する。また、前記特定ＭＢＭＳサービスを受信している各端末は、特定状態が発生すると、該当受信状態情報を構成（生成）して前記基地局に送信する。
【００５８】
前記特定状態は、受信品質が所定の閾値より良くなるか悪くなるかを示してもよい。
【００５９】
前記特定状態は、前記端末が正常に受信していないデータブロックの数が所定の閾値より多いか少ないかを示してもよい。
【００６０】
前記特定状態は、前記基地局が送信したデータブロックの数と前記端末が正常に受信していないデータブロックの数との比率が所定の閾値より大きいか小さいかを示してもよい。
【００６１】
前記特定状態は、前記端末が受信に成功したデータブロックの数と前記端末が受信に成功していないデータブロックの数との比率が所定の閾値より大きいか小さいかを示してもよい。
【００６２】
前記特定状態は、前記端末が位置するセルの信号強度が所定の閾値より大きいか小さいかを示してもよい。
【００６３】
前記特定状態は、前記端末がデータブロックの受信に連続して所定回数以上成功していない状況を示してもよい。
【００６４】
一方、前記基地局は、前記端末に何を測定するかを通知し、所定回数又は測定対象の閾値などの情報をも通知する。
【００６５】
また、前記端末が前記基地局に受信状態情報を容易に送信できるように、前記基地局は、特定無線リソースを割り当て、前記受信状態情報の送信に利用される前記特定無線リソースに関する情報を前記端末に通知する。
【００６６】
さらに、前記各端末は、発生した特定状態に関する受信状態情報を前記基地局に送信する。ここで、前記受信状態情報は、前記基地局が割り当てて通知した特定無線リソースに関する情報が示すアップリンク無線リソースを利用して、前記各端末から前記基地局に送信される。
【００６７】
ここで、前記受信状態情報をアップリンクに送信するときに利用される無線リソースは、例えばＲＡＣＨである。
【００６８】
前記受信状態情報をアップリンクに送信するときに利用される無線リソースの他の例として、ＤＴＣＨ、ＤＣＣＨがある。また、前記受信状態情報をアップリンクに送信するときに利用される無線リソースのさらに他の例として、前記ＲＡＣＨの特定プリアンブル（例えば、専用プリアンブル）がある。すなわち、前記基地局は、前記特定ＭＢＭＳサービスを受信する各端末が前記基地局に応答を送るのに使用される特定ＭＢＭＳサービス専用プリアンブルを割り当て、各端末は、前記特定ＭＢＭＳサービス専用プリアンブルを使用して前記基地局にフィードバックを送る。従って、各端末は、前記特定状態（すなわち、前記基地局から提供された、前記受信状態情報を送る条件に該当する情報）に基づいて、前記ＭＢＭＳサービスの受信状態に関する情報（すなわち、受信状態情報）を構成（又は、生成）し、その構成された受信状態情報を前記ＲＡＣＨの特定プリアンブルにより前記基地局に送信する。
【００６９】
また、各端末が前記受信状態情報をアップリンクに送信するときに利用される無線リソースは、前記ＲＡＣＨの特定シグネチャでもよい。特に、前記基地局は、前記特定ＭＢＭＳサービスを受信する各端末が前記基地局に応答を送るのに使用される特定ＭＢＭＳサービス専用シグネチャを割り当て、各端末は、前記特定ＭＢＭＳサービス専用シグネチャを使用して前記基地局にフィードバックを送る。つまり、各端末は、前記特定状態（すなわち、前記基地局から提供された、前記受信状態情報を送る条件に該当する情報）に基づいて、前記ＭＢＭＳサービスの受信状態に関する情報（すなわち、受信状態情報）を生成し、その生成された受信状態情報を前記ＲＡＣＨの特定シグネチャにより前記基地局に送信する。
【００７０】
一方、前記基地局から前記端末に送信される、情報（例えば、受信状態情報）の送信に利用される無線リソースに関する情報、又は前記端末が前記受信状態情報を送るべき特定状態（又は、条件、状況）に関する情報は、ＭＣＣＨ（MBMS  Control  Channel  or  Multicast  Control  Channel）又はＳＩＢ（System  Information  Block）を介して送信される。
【００７１】
前記特定ＭＢＭＳサービスに対する応答を送信するためのアップリンク無線リソースは、例えばＣＱＩチャネルである。
【００７２】
特定状態が発生すると、各端末は前記ＣＱＩチャネルの特定コード値を用いて前記基地局に応答を送ることができる。
【００７３】
図８は、本発明による専用プリアンブルを使用する特定ＭＢＭＳサービスに関する受信状態情報の送信の一例を示す図である。複数の端末がＭＢＭＳサービスを受信するが、図８においては、説明の便宜上、１つの端末５０のみを示す。
【００７４】
図８を参照すると、基地局（ｅＮＢ）１０は、ＭＣＣＨ２０又はＢＣＣＨを使用し、ＭＢＭＳサービスに関する受信状態情報の送信に利用されるアップリンク無線リソースに関する情報を端末（ＵＥ）５０に送信する（Ｓ１１）。ここで、基地局１０が、アップリンク無線リソースを、端末５０毎に割り当てるのではなく、ＭＢＭＳサービス毎に割り当てることによって、各端末５０はＭＢＭＳサービス毎にアップリンク無線リソースを共通に使用することができる。また、基地局１０は、端末５０が受信状態情報を送るべき条件を示す特定状態に関する情報を送信することができる。
【００７５】
基地局１０は、特定ＭＢＭＳデータ（すなわち、ＭＢＭＳデータブロックシーケンス）をＭＴＣＨ３０で各端末５０に送信する（Ｓ１２）。前記ＭＢＭＳデータをＭＴＣＨ３０で受信することによって、各端末５０には前記特定ＭＢＭＳサービスが提供される。
【００７６】
前記ＭＢＭＳデータを受信するステップＳ１２において、特定条件（状態）が満たされると、端末５０は、前記ＭＢＭＳサービスに関する受信状態情報を生成する（Ｓ１３）。ここで、端末５０は、前記ステップＳ１１で基地局１０から受信した情報（すなわち、前記端末が前記受信状態情報を送るべき条件を示す特定状態に関する情報）に基づいて、前記受信状態情報を生成する。このようにして生成されたＭＢＭＳサービスに関する受信状態情報は、端末５０が基地局１０にＭＢＭＳサービスの受信状態を報告する内容の一部でもよい。
【００７７】
端末５０は、（ステップＳ１３で生成された）前記生成された受信状態情報を、（ステップＳ１１で提供された）前記割り当てられた無線リソースを利用して基地局１０に送信することができる。例えば、端末５０は、特定ＲＡＣＨ４０のプリアンブルを使用して、前記生成された受信状態情報を送信する（Ｓ１４）。一方、前記受信状態情報は、前記ＲＡＣＨの特定シグネチャを使用して端末５０から基地局１０に送信することができる。
【００７８】
例えば、基地局１０は、特定ＭＢＭＳサービスにＲＡＣＨ４０の特定シグネチャを割り当て、端末５０が特定ＭＢＭＳサービスデータを全体ＭＢＭＳサービスデータの２０％以上受信していない場合（前述した特定状態の一例）、端末５０は、前記特定ＭＢＭＳサービスに関する受信状態情報（すなわち、フィードバック情報）を基地局１０に送信することができる。すなわち、図８に示すように、前記特定ＭＢＭＳサービスを受信する端末５０は、前記ＭＢＭＳサービスデータを全体ＭＢＭＳサービスデータの２０％又はそれ以上受信していない場合、前記ステップＳ１３及びＳ１４を行うことができる。従って、端末５０はＲＡＣＨプロセスを行い、このとき、端末５０は前の段階で基地局１０により指定された特定シグネチャを送信することができる。
【００７９】
前記ＭＢＭＳサービスを提供する基地局は、前記ＲＡＣＨを受信し続け、（予め割り当てられた）特定シグネチャを前記端末から受信すると、全体ＭＢＭＳサービスデータの２０％又はそれ以上のＭＢＭＳサービスデータを受信していない端末があることを認知することができる。その後、基地局１０は無線設定パラメータを設定又は調整することができる。例えば、基地局１０は前記特定ＭＢＭＳサービスの設定パラメータを設定又は調整することができる。
【００８０】
前記基地局は、複数の端末が多量の受信状態情報を送ることで発生するアップリンクチャネルの混雑を最小限に抑えるために、端末に確率変数値（probability  factor）をさらに提供することができる。前記確率変数値は、前記ステップＳ１１で前記端末に提供することができる。前記受信状態情報を有する端末は、前記確率変数値を用いて、前記受信状態情報を送信するか否かを決定することができる。
【００８１】
例えば、前記確率変数値が２０である場合、前記端末は、０〜１００の任意の値を選択し、前記選択された任意の値が２０より小さい場合にのみ、前記生成ステップで受信状態情報を生成して前記基地局に送信し、それ以外の場合は、前記受信状態情報を前記基地局に送信しない。
【００８２】
他の例として、前記基地局が特定ＭＢＭＳサービスデータに多くのエラーが発生していることを示す受信状態情報を受信した場合、前記基地局は前記特定ＭＢＭＳサービスのための送信電力を増加させることができる。また、前記基地局が特定ＭＢＭＳサービスの信号が強すぎるというフィードバックを受信した場合、前記基地局は前記特定ＭＢＭＳサービスのための送信電力を減少させることができる。
【００８３】
すなわち、高品質のＭＢＭＳサービスを提供し、かつ無線リソースを効果的に利用するために、前記基地局は、前記端末からＭＢＭＳサービスの受信状態に関するフィードバック情報を受信しなければならない。このために、前記基地局は、このようなフィードバックを要求するために、前記端末に測定制御メッセージを送信することができる。前記測定制御メッセージは、前記端末が前記ＭＢＭＳサービスに対してどのタイプのパラメータ（データ、情報）をどのタイムフレームで測定し、又はどのケースに該当測定結果をＵＴＲＡＮに送信すべきかを通知するメッセージである。例えば、前記基地局は、前記端末に受信されたＭＢＭＳサービスの信号の強度を測定することを指示し、また前記測定をフレーム毎に行うことを指示することができる。また、前記受信された信号の強度が所定の閾値より小さくなってその状態が所定時間持続する場合、前記基地局は、前記端末に測定情報を報告することを測定制御メッセージにより指示又は命令することができる。前記測定制御メッセージを受信した端末は、前記測定制御メッセージの指示に従って測定を行い、その測定結果が（前記測定制御メッセージに含まれる）特定条件を満たす場合、該当サービスに関する測定報告メッセージをＵＴＲＡＮに送信することができる。
【００８４】
本発明は、基地局からフィードバック設定パラメータを受信する段階と、１対多サービスデータを受信する段階と、前記受信したフィードバック設定パラメータを使用してフィードバック情報を送信する段階とを含み、前記フィードバック設定パラメータは１対多サービス毎に割り当てられ、前記フィードバック設定パラメータは前記フィードバック情報の送信のための無線リソースに関するものであり、前記フィードバック情報はＡＣＫ／ＮＡＣＫ信号、ＲＡＣＨプリアンブル、又は特定チャネル品質インジケータ（Channel  Quality  Indicator；CQI）コード値であり、前記フィードバック情報は特定条件を満たす場合にのみ前記ネットワークに送信され、前記１対多サービスデータの受信に成功した場合、前記ＡＣＫ信号が前記ネットワークに送信され、かつ前記１対多サービスデータの受信に成功していない場合、前記ＮＡＣＫ信号が前記ネットワークに送信され、前記１対多サービスデータの受信に成功した場合、前記ＡＣＫ信号のみ前記ネットワークに送信され、かつ前記１対多サービスデータの受信に成功していない場合、前記ＮＡＣＫ信号は送信されず、前記１対多サービスデータの受信に成功していない場合、前記ＮＡＣＫ信号のみ前記ネットワークに送信され、かつ前記１対多サービスデータの受信に成功した場合、前記ＡＣＫ信号は前記ネットワークに送信されず、前記特定条件は前記１対多サービスに加入している各端末により予め設定され、前記フィードバック情報は前記各受信段階で受信に成功したか否かに基づいて前記ネットワークに送信される、無線通信システムで１対多サービスを提供する方法を提供する。
【００８５】
また、本発明は、１対多サービスに加入している少なくとも１つの端末にフィードバック設定パラメータを送信する段階と、前記少なくとも１つの端末に１対多サービスデータを送信する段階と、前記フィードバック情報の送信のために前記フィードバック設定パラメータを使用する前記少なくとも１つの端末からフィードバック情報を受信し、前記受信したフィードバック情報に応じて無線設定パラメータを調整し、前記調整された無線設定パラメータを使用して前記少なくとも１つの端末に前記１対多サービスデータを送信する段階とを含み、前記無線設定パラメータは前記１対多サービスのために割り当てられるコード、電力、周波数、又は時間の少なくとも１つを含み、前記フィードバック設定パラメータは１対多サービス毎に割り当てられ、前記フィードバック設定パラメータは前記フィードバック情報の送信のための無線リソースに関するものであり、前記フィードバック情報はＡＣＫ／ＮＡＣＫ信号、ＲＡＣＨプリアンブル、又は特定チャネル品質インジケータ（ＣＱＩ）コード値であり、前記少なくとも１つの端末が前記１対多サービスデータの受信に成功した場合、前記ＡＣＫ信号が前記少なくとも１つの端末から受信され、かつ前記少なくとも１つの端末が前記１対多サービスデータの受信に成功していない場合、前記ＮＡＣＫ信号が前記少なくとも１つの端末から受信され、前記少なくとも１つの端末が前記１対多サービスデータの受信に成功した場合、前記ＡＣＫ信号のみ前記少なくとも１つの端末から受信され、かつ前記少なくとも１つの端末が前記１対多サービスデータの受信に成功していない場合、前記ＮＡＣＫ信号は受信されず、前記少なくとも１つの端末が前記１対多サービスデータの受信に成功していない場合、前記ＮＡＣＫ信号のみ前記少なくとも１つの端末から受信され、かつ前記少なくとも１つの端末が前記１対多サービスデータの受信に成功した場合、前記ＡＣＫ信号は受信されない、無線通信システムで１対多サービスを提供する方法を提供する。
【００８６】
さらに、本発明は、１対多サービスに関するデータを送受信する送受信部と、前記送受信部により又は外部ソースから送受信したデータを保存するメモリと、前記送受信部及び前記メモリと連動し、基地局からフィードバック設定パラメータを受信する段階、１対多サービスデータを受信する段階、及び前記受信したフィードバック設定パラメータを使用してフィードバック情報を送信する段階を行うプロセッサとを含む、無線通信システムで１対多サービスを提供する移動端末を提供する。
【００８７】
本発明は、移動通信に関連して説明されたが、無線通信能力（すなわち、インタフェース）を備えたＰＤＡやラップトップコンピュータなどの移動装置を用いるいかなる無線通信システムでも利用できる。また、本発明を説明するために使用された特定用語は本発明の範囲を特定タイプの無線通信システムに限定するものではない。本発明は、ＴＤＭＡ、ＣＤＭＡ、ＦＤＭＡ、ＷＣＤＭＡ、ＯＦＤＭ、ＥＶ−ＤＯ、Ｗｉ−Ｍａｘ、Ｗｉ−Ｂｒｏなどの様々なエアインタフェース及び／又は物理層を用いる他の無線通信システムにも適用できる。
【００８８】
本実施形態は、ソフトウェア、ファームウェア、ハードウェア、又はこれらの組み合わせを生産するための標準プログラミング及び／又はエンジニアリング技術を用いて製造方法、製造装置、又は製造物として実現できる。ここで、「製造物」という用語は、ハードウェアロジック（例えば、集積回路チップ、ＦＰＧＡ（Field  Programmable  Gate  Array）、ＡＳＩＣ（Application  Specific  Integrated  Circuit）など）、又はコンピュータ可読媒体（例えば、磁気記録媒体（例えば、ハードディスクドライブ、フロッピー（登録商標）ディスク、テープなど）、光記録装置（ＣＤ−ＲＯＭ、光ディスクなど）、揮発性及び不揮発性メモリ装置（例えば、ＥＥＰＲＯＭ、ＲＯＭ、ＰＲＯＭ、ＲＡＭ、ＤＲＡＭ、ＳＲＡＭ、ファームウェア、プログラムロジックなど））において実行されるコードやロジックを示す。
【００８９】
コンピュータ可読媒体内のコードはプロセッサによりアクセス及び実行される。本実施形態で実行されるコードは、伝送媒体を介して、又はネットワーク上のファイルサーバからアクセスすることもできる。その場合、前記コードの実行された製造物は、ネットワーク伝送ライン、無線伝送媒体、空中を伝播する信号、無線波、赤外線信号などの伝送媒体を含む。もちろん、当該技術分野における通常の知識を有する者であれば、本発明の要旨を逸脱しない範囲でその構成の様々な変更が可能であり、前記製造物が公知の情報伝達媒体（information  bearing  medium）をも含むことを理解するであろう。
【００９０】
本明細書における「一実施形態（one  embodiment）」、「実施形態（an  embodiment,  example  embodiment）」などに関する言及は、上記実施形態に関連して説明された特定特性、構造、又は特徴が本発明の少なくとも一実施形態に含まれることを意味する。本明細書の様々な箇所におけるそのような語句の出現が必ずしも同一の実施形態を全て言及するわけではない。また、特定特性、構造、又は特徴がいずれかの実施形態に関連して説明された場合、そのような特性、構造、又は特徴は、当業者であれば本実施形態の他の実施形態に関連して達成することもできる。
【００９１】
本発明は複数の実施形態を参照して説明されたが、当業者であれば本発明の原理の思想や範囲内で様々な他の変形及び実施形態が可能であることを理解できるであろう。特に、明細書、図面、及び添付された請求の範囲内で、構成要素及び／又はサブジェクトコンビネーション構造（subject  combination  arrangement）において様々な変更及び変形が可能である。前記構成要素及び／又は構造の変更及び変形に加えて、代替利用も当業者には明らかであろう。
【００９２】
本発明の思想や基本的特性から外れない限り、本発明は様々な形態で実現することができ、上記実施形態はいかなる詳細な記載内容によっても限定されず、特に言及がなければ、添付された請求の範囲に定義された思想や範囲内で広く解釈されるべきであり、本発明の請求の範囲内で行われるあらゆる変更及び変形、並びにその均等物は本発明の請求の範囲に含まれる。
【図面の簡単な説明】
【００９３】
【図１】図１は、Ｅ−ＵＭＴＳのネットワーク構造の一例を示す図である。
【図２】図２は、Ｅ−ＵＭＴＳの無線アクセスインタフェースプロトコルの制御プレーンの構造の一例を示す図である。
【図３】図３は、Ｅ−ＵＭＴＳの無線アクセスインタフェースプロトコルのユーザプレーンの構造の一例を示す図である。
【図４】図４は、物理チャネルの構造の一例を示す図である。
【図５】図５は、従来の物理チャネルＰＲＡＣＨの送信方法の一例を示す図である。
【図６】図６は、本発明による無線パケット通信システムのダウンリンク物理層に適用されるＨＡＲＱプロセスの一例を示す図である。
【図７】図７は、本発明による基地局から送信されたＭＢＭＳデータブロックに対する各端末のＡＣＫ／ＮＡＣＫチャネルを介した応答の一例を示す図である。
【図８】図８は、本発明による専用プリアンブルを使用する特定ＭＢＭＳサービスに関する受信状態情報の送信の一例を示す図である。
【図１】
2009542084.tif 000003
【図２】
2009542084.tif 000004
【図３】
2009542084.tif 000005
【図４】
2009542084.tif 000006
【図５】
2009542084.tif 000007
【図６】
2009542084.tif 000008
【図７】
2009542084.tif 000009
【図８】
2009542084.tif 000010
【国際調査報告】
2009542084.tif 000011
2009542084.tif 000012